(57)【特許請求の範囲】
【請求項１】
端末装置から受信した画像を自装置の表示部に表示する表示装置であって、
自装置を動作させるための第１の操作情報を上記端末装置以外から取得する操作情報取得手段と、
上記端末装置から受信した上記画像を上記表示部に表示するモードである外部入力表示モードに切り替えられたときに、自装置の機種を特定する第１の機種情報を上記端末装置に送信し、送信した第１の機種情報に対応する操作情報変換テーブルであって、上記第１の操作情報と、上記端末装置を動作させるための第２の操作情報とが対応付けられている操作情報変換テーブルを上記端末装置から受信する手段と、
上記受信した操作情報変換テーブルを参照して、上記操作情報取得手段が取得した第１の操作情報を、対応する第２の操作情報に変換する操作情報変換手段と、
上記操作情報変換手段が変換した第２の操作情報を上記端末装置に送信する操作情報送信手段とを備え、
上記端末装置が、上記操作情報送信手段が送信した第２の操作情報に基づいて出力する出力画像を受信して、受信した当該出力画像を自装置の表示部に表示する表示制御手段をさらに備えることを特徴とする表示装置。
【請求項２】
上記表示制御手段は、上記第１の操作情報と、上記第２の操作情報との対応関係を上記表示部に表示することを特徴とする請求項１に記載の表示装置。
【請求項３】
端末装置から受信した画像を表示装置の表示部に表示する上記表示装置を動作させるための第１の操作情報を上記端末装置以外から取得し、上記第１の操作情報と、上記端末装置を動作させるための第２の操作情報とが対応付けられている操作情報変換テーブルを参照して、上記取得した第１の操作情報を、対応する第２の操作情報に変換し、該変換した第２の操作情報を上記端末装置に送信し、該送信した第２の操作情報に基づいて上記端末装置が出力する出力画像を受信し、該受信した出力画像を上記表示部に表示する上記表示装置から送信された第２の操作情報に基づいて出力する出力画像を上記表示装置に送信する端末装置であって、
上記表示装置から、上記表示装置の機種を特定する第１の機種情報を取得する機種情報取得手段と、
上記第１の機種情報と上記操作情報変換テーブルとが対応付けられている第１の特定テーブルを参照して、上記機種情報取得手段が取得した第１の機種情報に対応する操作情報変換テーブルを特定する操作情報変換テーブル特定手段と、
上記操作情報変換テーブル特定手段が特定した操作情報変換テーブルを上記表示装置に送信する変換テーブル送信手段とを備えることを特徴とする端末装置。
【請求項４】
端末装置から受信した画像を表示装置の表示部に表示する上記表示装置を動作させるための第１の操作情報を上記端末装置以外から取得し、上記第１の操作情報と、上記端末装置を動作させるための第２の操作情報とが対応付けられている操作情報変換テーブルを参照して、上記取得した第１の操作情報を、対応する第２の操作情報に変換し、該変換した第２の操作情報を上記端末装置に送信し、該送信した第２の操作情報に基づいて上記端末装置が出力する出力画像を受信し、該受信した出力画像を上記表示部に表示する上記表示装置から送信された第２の操作情報に基づいて出力する出力画像を上記表示装置に送信する端末装置であって、
上記表示装置から、上記表示装置の機種を特定する第１の機種情報を取得する機種情報取得手段と、
上記第１の機種情報と、端末装置の機種を特定する第２の機種情報と、上記操作情報変換テーブルとが対応付けられている第２の特定テーブルを参照して、上記機種情報取得手段が取得した第１の機種情報、および、自装置の機種を特定する第２の機種情報に対応する操作情報変換テーブルを特定する操作情報変換テーブル特定手段と、
上記操作情報変換テーブル特定手段が特定した操作情報変換テーブルを上記表示装置に送信する変換テーブル送信手段とを備えることを特徴とする端末装置。
【請求項５】
請求項１または２に記載の表示装置と、請求項３または４に記載の端末装置とを含むことを特徴とする表示システム。
【請求項６】
端末装置から受信した画像を自装置の表示部に表示する表示装置の制御方法であって、
自装置を動作させるための第１の操作情報を上記端末装置以外から取得する操作情報取得ステップと、
上記端末装置から受信した上記画像を上記表示部に表示するモードである外部入力表示モードに切り替えられたときに、自装置の機種を特定する第１の機種情報を上記端末装置に送信するステップと、
上記送信された第１の機種情報に対応する操作情報変換テーブルであって、上記第１の操作情報と、上記端末装置を動作させるための第２の操作情報とが対応付けられている操作情報変換テーブルを上記端末装置から受信するステップと、
上記受信された操作情報変換テーブルを参照して、上記操作情報取得ステップにおいて取得した第１の操作情報を、対応する第２の操作情報に変換する操作情報変換ステップと、
上記操作情報変換ステップにおいて変換した第２の操作情報を上記端末装置に送信する操作情報送信ステップとを含み、
上記端末装置が、上記操作情報送信ステップにおいて送信された第２の操作情報に基づいて出力する出力画像を受信して、受信した当該出力画像を自装置の表示部に表示する表示制御ステップをさらに含むことを特徴とする表示装置の制御方法。
【請求項７】
請求項１または２に記載の表示装置を動作させるための制御プログラムであって、コンピュータを上記各手段として機能させるための制御プログラム。
【請求項８】
請求項７に記載の制御プログラムを記録したコンピュータ読み取り可能な記録媒体。
【発明の詳細な説明】
【技術分野】
【０００１】
本発明は、端末装置と接続し、端末装置の出力画像を受信して、端末装置の出力画像を自装置の表示部に表示させる表示装置、表示装置の制御方法、表示装置の制御プログラムおよびそれを記録した記録媒体と、表示装置と接続し、自装置の出力画像を表示装置に送信し、自装置の出力画像を表示装置に表示させる端末装置と、上記表示装置および上記端末装置を含む表示システムとに関するものである。
【背景技術】
【０００２】
近年の通信技術、情報処理技術や電子デバイスの進歩に伴い、携帯電話機やＰＤＡ（Personal Digital Assistant）などの携帯端末は多様化している。特に携帯電話機において、通信キャリアにより提供されるサービスを利用することを前提とした一般的な携帯電話機だけではなく、電子メールやウェブサイトなど、ＰＣと同じサービスを利用可能なスマートフォンが開発されている。
【０００３】
携帯端末は、携帯することを前提としていることから、ユーザが持ち運ぶことが容易であることが望ましい。そのため、携帯端末のサイズを小型化することが求められ、携帯端末が出力する情報を表示するためのディスプレイや、端末操作や文字入力を行うためのキー等のサイズが制限される。この結果、携帯端末では、ＰＣやテレビ等の大きなディスプレイを持つ表示装置と比較すると、ディスプレイのサイズが小さくなる。
【０００４】
よって、携帯端末上で、情報を見易いサイズで表示をしようとすると一覧性を犠牲としなければならなり、一方、一覧性を確保するためには、表示する文字や画像のサイズを小さくしなければならない。このように、携帯端末に表示される情報は、ＰＣやテレビ等の表示装置に表示する場合と比べて、ユーザにとって見難いという問題がある。
【０００５】
この問題を解決する技術として、携帯端末を大きなディスプレイを持つ表示装置に接続し、携帯端末の出力画像を表示装置に送信し、表示装置に携帯端末の出力画像を表示させる技術がすでに開発されている。例えば、特許文献１には、外部ディスプレイ装置と接続ユニットを介して接続する携帯情報通信装置であって、外部ディスプレイ装置から外部ディスプレイ装置の画面解像度に関する情報を受信し、受信した情報に基づいて、外部ディスプレイ装置に出力する画像を作成し、作成した画像を外部ディスプレイに出力する携帯情報通信装置が記載されている。
【先行技術文献】
【特許文献】
【０００６】
【特許文献１】特許第３８７２５０２号公報（登録日：２００６年１０月２７日）
【発明の概要】
【発明が解決しようとする課題】
【０００７】
しかしながら、上述のような従来技術は、リモートコントローラ等の表示装置を操作するための操作機器によって、表示装置に表示されている携帯端末の出力画像を編集または変更したり、表示装置に表示されている携帯端末の出力画像が示す情報に対して応答したりすることができないという問題がある。
【０００８】
具体的には、携帯端末の出力画像を表示装置に表示している場合であっても、表示装置に表示されている携帯端末の出力画像を編集または変更したり、表示装置に表示されている携帯端末の出力画像が示す情報に対して応答したりするためには、ユーザは、携帯端末を操作しなければならない。すなわち、表示装置に表示されている画像のうち、携帯端末の出力画像以外の画像に対しては、表示装置を操作するための操作機器によって応答し、表示装置に表示されている画像のうち、携帯端末の出力画像に対しては、携帯端末を操作することによって応答しなければならない。
【０００９】
そのため、ユーザは、表示装置に表示されている画像に対して、表示装置を操作するための操作機器および携帯端末の操作部の２つの操作手段を操作しなければならず、ユーザにとって操作が非常に煩雑である。
【００１０】
本発明は、上記の問題点に鑑みてなされたものであり、その目的は、表示装置に端末装置の出力画像を表示している場合に、ユーザが表示装置を操作するための操作機器を用いて、端末装置を制御することができる表示装置、表示装置の制御方法、表示装置の制御プログラムおよびそれを記録した記録媒体と、上記端末装置と、上記表示装置および上記端末装置を含む表示システムとを実現することにある。
【課題を解決するための手段】
【００１１】
本発明に係る表示装置は、上記課題を解決するために、端末装置から受信した画像を自装置の表示部に表示する表示装置であって、自装置を動作させるための第１の操作情報を上記端末装置以外から取得する操作情報取得手段と、上記第１の操作情報と、上記端末装置を動作させるための第２の操作情報とが対応付けられている操作情報変換テーブルを参照して、上記操作情報取得手段が取得した第１の操作情報を、対応する第２の操作情報に変換する操作情報変換手段と、上記操作情報変換手段が変換した第２の操作情報を上記端末装置に送信する操作情報送信手段とを備え、上記端末装置が、上記操作情報送信手段が送信した第２の操作情報に基づいて出力する出力画像を受信して、受信した当該出力画像を自装置の表示部に表示する表示制御手段をさらに備えることを特徴としている。
【００１２】
本発明に係る表示装置の制御方法は、上記課題を解決するために、端末装置から受信した画像を自装置の表示部に表示する表示装置の制御方法であって、自装置を動作させるための第１の操作情報を上記端末装置以外から取得する操作情報取得ステップと、上記第１の操作情報と、上記端末装置を動作させるための第２の操作情報とが対応付けられている操作情報変換テーブルを参照して、上記操作情報取得ステップにおいて取得した第１の操作情報を、対応する第２の操作情報に変換する操作情報変換ステップと、上記操作情報変換ステップにおいて変換した第２の操作情報を上記端末装置に送信する操作情報送信ステップとを含み、上記端末装置が、上記操作情報送信ステップにおいて送信された第２の操作情報に基づいて出力する出力画像を受信して、受信した当該出力画像を自装置の表示部に表示する表示制御ステップをさらに含むことを特徴としている。
【００１３】
上記の構成によれば、操作情報取得手段が、表示装置を動作させるための第１の操作情報を端末装置以外から取得し、操作情報変換手段が、第１の操作情報と、端末装置を動作させるための第２の操作情報とが対応付けられている操作情報変換テーブルを参照して、操作情報取得手段が取得した第１の操作情報を、対応する第２の操作情報に変換し、操作情報送信手段が、操作情報変換手段が変換した第２の操作情報を端末装置に送信する。次に、端末装置は、操作情報送信手段が送信した第２の操作情報を受信して、受信した第２の操作情報に基づいて動作し、出力画像を出力する。そして、表示制御手段は、端末装置が出力する出力画像を受信して、受信した出力画像を表示装置の表示部に表示する。
【００１４】
そのため、端末装置の出力画像を表示する表示装置に対して、表示装置を動作させるための第１の操作情報を送信することによって、当該第１の操作情報に対応する第２の操作情報に基づいて端末装置を動作させて、表示装置にその動作に基づく端末装置の出力画像を表示させることができる。
【００１５】
ここで、表示装置を動作させるための第１の操作情報を送信する機器として、例えば、表示装置を視聴する際にユーザが使用する、表示装置に付属のリモートコントローラ等の操作機器が考えられる。すなわち、ユーザは、表示装置に端末装置の出力画像を表示させている状態において、表示装置を動作させるための操作機器を操作することによって、端末装置を操作し、その操作に基づく端末装置の出力画像を表示装置に表示させることができる。
【００１６】
よって、ユーザは、表示装置に端末装置の出力画像を表示させている状態であっても、表示装置を動作させるための操作機器のみを操作して、表示装置に表示させている画像を制御することができるという効果を奏する。つまり、ユーザが表示装置に付属の操作機器および端末装置の両方を操作する必要がないため、表示装置に端末装置の出力画像を表示させている状態において、ユーザの操作が簡易になるという効果を奏する。
【００１７】
また、本発明に係る表示装置は、上記表示制御手段が、上記第１の操作情報と、上記第２の操作情報との対応関係を上記表示部に表示することが好ましい。
【００１８】
上記の構成によれば、表示制御手段が、第１の操作情報と、第２の操作情報との対応関係を表示装置の表示部に表示するので、ユーザは、第１の操作情報と第２の操作情報との対応関係を知ることができる。すなわち、ユーザは、表示装置に送信する第１の操作情報によって、端末装置がどのように動作するかを予測することができる。従って、ユーザは、所望の動作を端末装置に実行させることができる。
【００１９】
また、本発明に係る端末装置は、上記表示装置から送信された第２の操作情報に基づいて出力する出力画像を上記表示装置に送信する端末装置であって、上記表示装置から、上記表示装置の機種を特定する第１の機種情報を取得する機種情報取得手段と、上記第１の機種情報と上記操作情報変換テーブルとが対応付けられている第１の特定テーブルを参照して、上記機種情報取得手段が取得した第１の機種情報に対応する操作情報変換テーブルを特定する操作情報変換テーブル特定手段と、上記操作情報変換テーブル特定手段が特定した操作情報変換テーブルを上記表示装置に送信する変換テーブル送信手段とを備えることが好ましい。
【００２０】
上記の構成によれば、機種情報取得手段が、表示装置から、当該表示装置の機種を特定する第１の機種情報を取得し、操作情報変換テーブル特定手段が、第１の機種情報と操作情報変換テーブルとが対応付けられている第１の特定テーブルを参照して、機種情報取得手段が取得した第１の機種情報に対応する操作情報変換テーブルを特定し、変換テーブル送信手段が、操作情報変換テーブル特定手段が特定した操作情報変換テーブルを表示装置に送信する。
【００２１】
そのため、端末装置は、出力画像の送信先である表示装置から当該表示装置の機種を特定する第１の機種情報を取得することによって、当該表示装置を動作させるための第１の操作情報を第２の操作情報に変換するための操作情報変換テーブルを特定して、表示装置に送信することができる。よって、端末装置は、出力画像の送信先である表示装置に対応する操作情報変換テーブルを特定し、その操作情報交換テーブルを対応する表示装置に送信することができる。
【００２２】
また、本発明に係る端末装置は、上記表示装置から送信された第２の操作情報に基づいて出力する出力画像を上記表示装置に送信する端末装置であって、上記表示装置から、上記表示装置の機種を特定する第１の機種情報を取得する機種情報取得手段と、上記第１の機種情報と、端末装置の機種を特定する第２の機種情報と、上記操作情報変換テーブルとが対応付けられている第２の特定テーブルを参照して、上記機種情報取得手段が取得した第１の機種情報、および、自装置の機種を特定する第２の機種情報に対応する操作情報変換テーブルを特定する操作情報変換テーブル特定手段と、上記操作情報変換テーブル特定手段が特定した操作情報変換テーブルを上記表示装置に送信する変換テーブル送信手段とを備えることが好ましい。
【００２３】
上記の構成によれば、機種情報取得手段が、表示装置から、当該表示装置の機種を特定する第１の機種情報を取得し、操作情報変換テーブル特定手段が、第１の機種情報と、端末装置の機種を特定する第２の機種情報と、操作情報変換テーブルとが対応付けられている第２の特定テーブルを参照して、上記機種情報取得手段が取得した第１の機種情報、および、自装置の機種を特定する第２の機種情報に対応する操作情報変換テーブルを特定し、変換テーブル送信手段が、操作情報変換テーブル特定手段が特定した操作情報変換テーブルを上記表示装置に送信する。
【００２４】
そのため、端末装置は、出力画像の送信先である表示装置から当該表示装置の機種を特定する第１の機種情報を取得することによって、当該表示装置を動作させるための第１の操作情報を、自装置を動作させるための第２の操作情報に変換するための操作情報変換テーブルを特定して、表示装置に送信することができる。よって、端末装置は、出力画像の送信先である表示装置に対応する操作情報変換テーブルを特定し、その操作情報交換テーブルを対応する表示装置に送信することができる。
【００２５】
また、本発明に係る表示システムは、上記表示装置と、上記端末装置とを含むことが好ましい。
【００２６】
なお、上記表示装置および上記端末装置は、コンピュータによって実現してもよく、この場合には、コンピュータを上記表示装置または上記端末装置の各手段として動作させることにより、上記表示装置または上記端末装置をコンピュータにて実現させる制御プログラム、およびそれを記録したコンピュータ読み取り可能な記録媒体も本発明の範疇に入る。
【発明の効果】
【００２７】
以上のように、本発明に係る表示装置は、端末装置から受信した画像を自装置の表示部に表示する表示装置であって、自装置を動作させるための第１の操作情報を上記端末装置以外から取得する操作情報取得手段と、上記第１の操作情報と、上記端末装置を動作させるための第２の操作情報とが対応付けられている操作情報変換テーブルを参照して、上記操作情報取得手段が取得した第１の操作情報を、対応する第２の操作情報に変換する操作情報変換手段と、上記操作情報変換手段が変換した第２の操作情報を上記端末装置に送信する操作情報送信手段とを備え、上記端末装置が、上記操作情報送信手段が送信した第２の操作情報に基づいて出力する出力画像を受信して、受信した当該出力画像を自装置の表示部に表示する表示制御手段をさらに備えている構成である。
【００２８】
また、本発明に係る表示装置の制御方法は、端末装置から受信した画像を自装置の表示部に表示する表示装置の制御方法であって、自装置を動作させるための第１の操作情報を上記端末装置以外から取得する操作情報取得ステップと、上記第１の操作情報と、上記端末装置を動作させるための第２の操作情報とが対応付けられている操作情報変換テーブルを参照して、上記操作情報取得ステップにおいて取得した第１の操作情報を、対応する第２の操作情報に変換する操作情報変換ステップと、上記操作情報変換ステップにおいて変換した第２の操作情報を上記端末装置に送信する操作情報送信ステップとを含み、上記端末装置が、上記操作情報送信ステップにおいて送信された第２の操作情報に基づいて出力する出力画像を受信して、受信した当該出力画像を自装置の表示部に表示する表示制御ステップをさらに含むことを特徴としている。
【００２９】
したがって、ユーザは、表示装置に端末装置の出力画像を表示させている状態であっても、表示装置を動作させるための操作機器のみを操作して、表示装置に表示させている画像を制御することができるという効果を奏する。つまり、ユーザが表示装置に付属の操作機器および端末装置の両方を操作する必要がないため、表示装置に端末装置の出力画像を表示させている状態において、ユーザの操作が簡易になるという効果を奏する。
【図面の簡単な説明】
【００３０】
【図１】本発明の実施形態を示すものであり、表示システムに含まれるテレビおよび携帯電話機の要部構成を示すブロック図である。
【図２】本実施形態に係る表示システムの概要を示す図である。
【図３】リモートコントローラのキー配置の一例を示す図である。
【図４】本実施形態における、テレビが表示する外部入力表示画像の一例を示す図である。
【図５】キーガイダンスの表示例を示す図である。
【図６】テレビの機種情報の一例を示す図である。
【図７】キー変換情報の一例を示す図である。
【図８】携帯電話機の操作部のキー配置の一例を示す図である。
【図９】キー変換情報特定テーブルの一例を示す図である。
【図１０】表示システムに含まれるテレビ及び携帯電話機の処理の流れの一例を示すフローチャートである。
【図１１】テレビキー情報解析処理、および、携帯電話機キー情報解析処理の流れの一例を示すフローチャートである。
【図１２】携帯電話機の機種情報の一例を示す図である。
【図１３】キー変換情報特定テーブルの一例を示す図である。
【発明を実施するための形態】
【００３１】
〔第１の実施形態〕
以下、本発明の第１の実施形態について、図１から図１１に基づいて詳細に説明する。
【００３２】
〔システムの概要〕
本実施形態の表示システム３の概要について、図２に基づいて説明する。図２は、本実施形態に係る表示システム３の概要を示す図である。図示のように、表示システム３は、テレビ（表示装置）１と携帯電話機（端末装置）２とを通信接続してなるシステムである。
【００３３】
テレビ１は、テレビジョン放送の電波を受信して選局し、映像および音声を出力（表示）するものである。本実施形態では、表示システムを構成する表示装置として、テレビ１を適用しているが、これに限るものではない。例えば、表示システムを構成する表示装置として、画像を表示する機能を備える表示装置であればよく、ＰＣ等を適用することができる。また、テレビ１は、図２に示すリモートコントローラ１５からの信号によって、信号に応じた種々の処理を行う。具体的には、テレビ１は、リモートコントローラ１５から送信された信号を受信して、チャンネルを切り替える処理を行ったり、番組表やメニュー画面を表示する処理を行ったりする。
【００３４】
リモートコントローラ１５は、テレビ１に付属されている操作機器であって、ユーザがテレビ１を遠隔操作するために用いられるものである。ユーザがリモートコントローラ１５に備えられたキー（ボタン）を押すことによって、リモートコントローラ１５は、ユーザに押されたキーに対応する信号を送信するものである。
【００３５】
本実施形態では、リモートコントローラ１５は、一般的な赤外線通信を利用してテレビ１に信号を送信する。なお、リモートコントローラ１５とテレビ１との通信方式は、赤外線通信に限るものではなく、赤外線以外の電波による通信など、あらゆる無線通信方式、有線通信方式を適用することができる。
【００３６】
また、本実施形態のリモートコントローラ１５は、図３に示すように、電源キー、操作切替キー、数字キー（１〜１２）、番組表キー、および、メニューキーを備える。電源キーは、テレビ１の電源をオンまたはオフするためのキーである。操作切替キーは、テレビ１の操作モードを切り替えるためのキーである。操作モードについては、詳細は後述する。数字キーは、テレビ１のチャンネルの切り替えや、テレビ１への数字の入力等に使用するためのキーである。番組表キー、メニューキーは、それぞれ、テレビ１に番組表、メニュー画面を表示させるためのキーである。
【００３７】
図３は、リモートコントローラ１５のキー配置の一例を示す図である。なお、リモートコントローラ１５が、上述のキー以外に、例えば、十字キーや決定キー等を備えていてもよい。また、図３に示すリモートコントローラ１５のキー配置はあくまで一例であって、図３に示すキー配置に限るものではなく、キー配置を任意に設計してもよい。
【００３８】
携帯電話機２は、携帯可能な電話機であって、無線通信を利用して、他の携帯電話機や固定電話機と音声通信を行うものである。携帯電話機２は、電話の機能だけではなく、インターネットおよびメール等の機能を備えていてもよい。携帯電話機２は、各機能の処理を実行する際に、その処理の結果を、自装置の表示部に画像として表示するものである。具体的には、ユーザが携帯電話機２を操作して、電話番号を入力すると、携帯電話機２は、表示部に入力された番号を表示する。また、ユーザが音声通話開始キーを押すと、携帯電話機２は、通信先の携帯電話機と接続を開始する旨を表示部に表示する。このように、携帯電話機２は、自身が処理している内容（処理した結果）をユーザに通知するために、自身が処理している内容（処理した結果）を示す画像を生成し、生成した画像を表示部に出力するものである。
【００３９】
なお、本実施形態では、表示システムを構成する端末装置として、携帯電話機２を適用しているが、これに限るものではない。例えば、表示システムを構成する端末装置として、ＰＤＡ、デジタルカメラ、デジタルビデオカメラ、携帯ゲーム機等であってもよい。
【００４０】
本実施形態では、テレビ１と携帯電話機２とは、ＨＤＭＩ（High-Definition Multimedia Interface）ケーブルで接続されているものとする。ただし、テレビ１と携帯電話機２との接続方式は、これに限るものではなく、例えば、ＵＳＢケーブル等の有線接続方式であってもよいし、無線ＬＡＮ等の無線接続方式であってもよい。
【００４１】
さらに、携帯電話機２は、自装置の表示部に出力する画像である出力画像をテレビ１に送信するものである。また、テレビ１は、携帯電話機２の出力画像を受信して、自装置の表示部に、受信した出力画像を含む画像を表示するものである。
【００４２】
本発明は、上述の表示システム３において、テレビ１が携帯電話機２の出力画像を含む画像を表示している際に、リモートコントローラ１５を操作することによって、携帯電話機２を制御するものである。つまり、テレビ１には、２つの表示モードが存在し、テレビ１が受信したテレビジョン放送の電波に基づく画像（映像）を表示する通常表示モードと、携帯電話機２から受信した携帯電話機２の出力画像を含む画像を表示する外部入力表示モードとが存在する。さらに、テレビ１が外部入力表示モードの場合、２つの操作モードが存在し、ユーザがリモートコントローラ１５を操作することによって、テレビ１を操作できる状態であるテレビ操作モードと、ユーザがリモートコントローラ１５を操作することによって、携帯電話機２を操作できる状態である携帯電話機操作モードとが存在する。
【００４３】
上述の、テレビ１が外部入力表示モードの場合に、テレビ１に表示される画像を外部入力表示画像と称する。ここで、テレビ１が表示する外部入力表示画像の一例を図４に基づいて説明する。図４は、本実施形態における、テレビ１が表示する外部入力表示画像の一例を示す図である。
【００４４】
図４に示すように、テレビ１の画面に外部入力表示画像７１が表示されており、外部入力表示画像７１には、テレビ映像表示領域７２、携帯電話機出力画像表示領域７３、キーガイダンス表示領域７４および操作マーク７５が含まれる。なお、外部入力表示画像７１には、少なくとも携帯電話機出力画像表示領域７３が含まれていればよい。換言すると、テレビ１が携帯電話機２から携帯電話機２の出力画像を受信している場合、テレビ１は、携帯電話機２の出力画像を全画面に表示してもよい。
【００４５】
テレビ映像表示領域７２は、テレビ１が受信したテレビジョン放送の電波に基づく画像（映像）を表示する領域である。つまり、テレビ１が通常表示モード時に表示する画像を表示する領域である。
【００４６】
携帯電話機出力画像表示領域７３は、テレビ１が受信した携帯電話機２の出力画像を表示する領域である。
【００４７】
キーガイダンス表示領域７４は、キーガイダンスを表示する領域である。キーガイダンスとは、テレビ１が携帯電話機操作モード時に、リモートコントローラ１５のキーと、携帯電話機２のキーとの対応関係をユーザに通知するものである。キーガイダンスの表示例を図５に示す。
【００４８】
図５に示すように、図３に示すリモートコントローラ１５と同じ位置にキー（ボタン）が配置されている。ただし、図３に示すリモートコントローラ１５と異なり、各キーのラベルには、対応する携帯電話機２のキーのラベルが表示されている。図示の例では、リモートコントローラ１５の「１」キーは、携帯電話機２の「１／あ」キーに対応することが示されている。これによって、ユーザは、リモーロコントローラ１５のキーが、携帯電話機２のキーのどれにあたるかを直感的に判別し、リモーロコントローラ１５により携帯電話機２を操作することが可能となる。
【００４９】
なお、図５に示す例では、「電源」キーおよび「操作切替」キーが破線で表示されている。これは、「電源」キーおよび「操作切替」キーがテレビ１の操作モードに依存しないキーであることを示す。つまり、「電源」キーは、テレビ１の操作モードがテレビ操作モード、携帯電話機操作モードに関わらず、テレビ１の電源をオンまたはオフするためのキーである。また、「操作切替」キーは、テレビ１の操作モードがテレビ操作モードの場合、テレビ１の操作モードを携帯電話機操作モードに切り替えるためのキーであり、テレビ１の操作モードが携帯電話機操作モードの場合、テレビ１の操作モードをテレビ操作モードに切り替えるためのキーである。
【００５０】
操作マーク７５は、テレビ１の操作モードがテレビ操作モードであるか、携帯電話機操作モードであるかをユーザに通知するものである。なお、ユーザに操作モードを通知する方法はこれに限らず、例えば、テレビ操作モード時にキーガイダンスを透明または半透明で表示し、携帯電話機操作モード時に通常に表示して、テレビ１の操作モードを通知してもよい。
【００５１】
以下に、本実施形態に係るテレビ１および携帯電話機２の構成、および、その処理について説明する。
【００５２】
〔テレビ１及び携帯電話機２の要部構成〕
本実施形態に係るテレビ１および携帯電話機２の構成について、図１に基づいて説明する。図１は、表示システム３に含まれるテレビ１および携帯電話機２の要部構成を示すブロック図である。
【００５３】
＜テレビ１の構成＞
まず、テレビ１の構成について説明する。図示のように、テレビ１は、制御部１０、記憶部１１、表示部１２、通信部１３、および、キー情報受信部（操作情報取得手段）１４を備えている。また、テレビ１には、テレビ１を遠隔操作可能な操作機器であるリモートコントローラ１５が付属されている。テレビ１は、これらの部材以外にも、アンテナ、チューナ、スピーカ、マイク、バッテリー等の部材を備えていてもよいが、発明の特徴点とは関係がないため当該部材を図示していない。
【００５４】
表示部１２は、制御部１０の指示に従って画像を表示するものである。表示部１２は、制御部１０の指示に従って画像を表示するものであればよく、例えば、ＬＣＤ（液晶ディスプレイ）、有機ＥＬディスプレイ、プラズマディスプレイなどを適用することが可能である。
【００５５】
通信部１３は、無線通信手段または有線通信手段によって、携帯電話機２などの他の装置と通信を行い、データのやりとりを行うものである。本実施形態では、通信部１３が外部インターフェースとして機能し、携帯電話機２とＨＤＭＩケーブルで接続されているものとする。
【００５６】
キー情報受信部１４は、リモートコントローラ１５から送信された信号を受信するものである。本実施形態では、リモートコントローラ１５が、赤外線通信を利用してテレビ１に信号を送信するため、キー情報受信部１４が赤外線受光部として機能する。
【００５７】
なお、テレビ１が操作部（不図示）を備えていてもよい。この場合、リモートコントローラ１５を操作してテレビ１を制御するのと同様に、操作部を操作してテレビ１を制御してもよい。この場合、キー情報受信部１４は、操作部から操作情報を取得する操作情報取得手段として機能する。
【００５８】
制御部１０は、記憶部１１から一時記憶部（不図示）に読み出されたプログラムを実行することにより、各種の演算を行うと共に、テレビ１が備える各部を統括的に制御するものである。
【００５９】
本実施形態では、制御部１０は、機能ブロックとして、表示制御部（表示制御手段）２１、テレビ制御部２２、モード切替部２３、外部入力制御部２６、キー情報変換部（操作情報変換手段、操作情報送信手段）２７、および、キー情報管理部２８を備える構成である。これらの制御部１０の各機能ブロック（２１〜２３、２６〜２８）は、ＣＰＵ（central processing unit）が、ＲＯＭ（read only memory）等で実現された記憶装置に記憶されているプログラムをＲＡＭ（random access memory）等で実現された一時記憶部に読み出して実行することで実現できる。
【００６０】
表示制御部２１は、テレビ制御部２２、外部入力制御部２７の指示に従って、画像を生成し、生成した画像を表示部１２に出力するものである。具体的には、表示制御部２１は、通常表示モード時では、テレビ制御部２２の指示に従って、テレビ１が受信したテレビジョン放送の電波から画像（映像）を生成し、生成した画像を表示部１２に表示させるものである。また、表示制御部２１は、外部入力表示モード時には、外部入力制御部２６の指示に従って、外部入力表示画像を生成し、生成した外部入力表示画像を表示部１２に表示させるものである。
【００６１】
テレビ制御部２２は、キー情報受信部１４から送信されたテレビ１を動作させるためのキー情報（テレビキー情報：第１の操作情報）に基づいて、テレビ１を制御するものである。例えば、テレビ制御部２２は、受信したテレビキー情報が電源のオン／オフを示すものであれば、テレビ１の電源をオンまたはオフするように制御する。また、テレビ制御部２２は、テレビ１が通常表示モード時には、受信したテレビキー情報が所定のチャンネルを指定するものであれば、チューナ（不図示）に対して、アンテナ（不図示）で受信したテレビジョン放送の電波から、指定のチャンネルを選局するように指示し、チューナが電波から変換した映像信号を表示部１２に表示するように表示制御部２１に指示する。また、テレビ制御部２２は、テレビ１が外部入力表示モード時には、受信したテレビキー情報が所定のチャンネルを指定するものであれば、チューナ（不図示）に対して、アンテナ（不図示）で受信したテレビジョン放送の電波から、指定のチャンネルを選局するように指示し、チューナが電波から変換した映像信号をテレビ映像表示領域７２に組み込むように表示制御部２１に指示する。
【００６２】
テレビ制御部２２は、テレビ１が通常表示モードの場合、テレビキー情報に基づいて、テレビ１を制御する。また、テレビ制御部２２は、テレビ１が外部入力表示モードであって、テレビ操作モードの場合、テレビキー情報に基づいて、テレビ１を制御する。さらに、テレビ制御部２２は、テレビ１が外部入力表示モードであって、携帯電話機操作モードの場合に、キー情報受信部１４が操作モードに依存しないテレビキー情報（「電源」キー、「操作切替」キー等）を受信した場合、テレビキー情報に基づいて、テレビ１を制御する。
【００６３】
モード切替部２３は、テレビ１のモードを切り替えるものであり、表示モード切替部２４および操作モード切替部２５を備える。
【００６４】
表示モード切替部２４は、テレビ１の表示モードを切り替えるものである。例えば、表示モード切替部２４は、キー情報受信部１４を介して、リモートコントローラ１５から表示モードの切替指示を受信して、テレビ１の表示モードを切り替えてもよい。また、表示モード切替部２４は、テレビ１が携帯電話機２と通信接続されたことを示す情報を通信部１３から受信して、テレビ１の表示モードを通常表示モードから外部入力表示モードに切り替えてもよい。また、表示モード切替部２４は、テレビ１が携帯電話機２との通信接続を終了したことを示す情報を通信部１３から受信して、テレビ１の表示モードを外部入力表示モードから通常表示モードに切り替えてもよい。
【００６５】
操作モード切替部２５は、テレビ１の操作モードを切り替えるものである。例えば、操作モード切替部２５は、キー情報受信部１４を介して、リモートコントローラ１５から表示モードの切替指示（「操作切替」キー）を受信して、テレビ１の操作モードを切り替えてもよい。
【００６６】
外部入力制御部２６は、外部入力表示モード時に、表示制御部２１に対して、外部入力表示画像７１を生成して、表示部１２に表示するように指示するものである。また、外部入力制御部２６は、外部入力表示画像７１における携帯電話機出力画像表示領域７３に、携帯電話機２から受信した携帯電話機２の出力画像を組み込むように、表示制御部２１に指示する。
【００６７】
また、外部入力制御部２６は、外部入力表示画像７１におけるキーガイダンス表示領域７４に表示させる画像を生成するものである。外部入力制御部２６は、キー変換情報記憶部３２に格納されているキー変換情報（操作情報変換テーブル）を参照して、リモートコントローラ１５のキーが携帯電話機２のどのキーに対応するかを特定し、記憶部１１に格納されているリモートコントローラ１５のキー配置情報に基づいて、キーガイダンス画像を生成する。外部入力制御部２６は、生成したキーガイダンス画像を外部入力表示画像７１におけるキーガイダンス表示領域７４に組み込むように、表示制御部２１に指示する。なお、リモートコントローラ１５のキー配置情報とは、リモートコントローラ１５の各キーのリモートコントローラ１５における位置を示す情報である。
【００６８】
キー情報変換部２７は、テレビ１の操作モードが携帯電話機操作モードである場合、記憶部１１のキー変換情報記憶部３２に格納されているキー変換情報を参照して、キー情報受信部１４が受信したテレビキー情報を、対応する携帯電話機キー情報に変換するものである。そして、キー情報変換部２７は、変換後の携帯電話機キー情報を通信部１３を介して携帯電話機２に送信する。ここで、携帯電話機キー情報（第２の操作情報）とは、携帯電話機２を動作させるためのキー情報である。
【００６９】
なお、本実施形態では、テレビ１と携帯電話機２とがＨＤＭＩケーブルで接続されているため、キー情報変換部２７は、ＨＤＭＩ  ＣＥＣコマンドを利用して、変換後の携帯電話機キー情報を送信する。また、キー情報変換部２７は、キー情報受信部１４が受信したテレビキー情報が、キー変換情報記憶部３２に格納されているキー変換情報に含まれていない場合、テレビ制御部２２に、キー情報受信部１４が受信したテレビキー情報に基づいて動作するように指示する。
【００７０】
キー変換情報管理部２８は、テレビ１が外部入力表示モードに移行すると、記憶部１１の機種情報記憶部３１に格納されているテレビ１の機種情報を読み出し、通信部１３を介して、読み出したテレビ１の機種情報を携帯電話機２に送信するものである。そして、キー変換情報管理部２８は、テレビ１の機種情報を携帯電話機２に送信した後、携帯電話機２からキー変換情報を受信すると、受信したキー変換情報を記憶部１１のキー変換情報記憶部３２に格納する。
【００７１】
記憶部１１は、制御部１０が実行する制御プログラムおよびＯＳプログラム、ならびに、制御部１０が、テレビ１が有する各種機能（例えば、後述の、初期設定処理、表示処理、テレビキー情報解析処理など）を実行するときに読み出す各種の固定データを記憶するものである。本実施形態では、記憶部１１には、例えば、機種情報記憶部３１、および、キー変換情報記憶部３２が含まれており、各種の固定データを記憶する。記憶部１１は、例えば、内容の書き換えが可能な不揮発性メモリである、ＥＰＲＯＭ（Erasable Programmable ROM）、ＥＥＰＲＯＭ（Electrically EPROM）、フラッシュメモリなどで実現される。なお、内容の書き換えが不要な情報を記憶する記憶部としては、上述したとおり、記憶部１１とは別の、図示しない、読出し専用の半導体メモリであるＲＯＭなどで実現されてもよい。
【００７２】
機種情報記憶部３１は、テレビ１の機種を特定するテレビ１の機種情報（第１の機種情報）を格納するものである。機種情報記憶部３１に格納されているテレビ１の機種情報として、例えば、図６に示すようなデータであればよい。図６は、テレビ１の機種情報の一例を示す図である。図６の例では、機種情報記憶部３１には、テレビ１の機種情報として、テレビ１の機種を識別する文字列「ＴＶ１２３４Ａ」が格納されている。
【００７３】
キー変換情報記憶部３２は、キー情報変換部２７が、テレビキー情報から対応する携帯電話機キー情報に変換する際に参照するキー変換情報を格納するものである。キー変換情報記憶部３２に格納されているキー変換情報として、例えば、図７に示すようなデータであってもよい。図７は、キー変換情報の一例を示す図である。図７に示す例では、キー変換情報記憶部３２には、キー変換情報ＩＤが「００１」のキー変換情報が格納されている。
【００７４】
＜携帯電話機２の構成＞
次に、携帯電話機２の構成について説明する。図示のように、携帯電話機２は、制御部４０、記憶部４１、表示部４２、通信部４３、および、操作部４４を備えている。携帯電話機２は、これらの部材以外にも、スピーカ、マイク、バッテリー等の部材を備えていてもよいが、発明の特徴点とは関係がないため当該部材を図示していない。
【００７５】
表示部４２は、制御部４０の指示に従って画像を表示するものである。表示部４２は、制御部４０の指示に従って画像を表示するものであればよく、例えば、ＬＣＤ（液晶ディスプレイ）、有機ＥＬディスプレイ、プラズマディスプレイなどを適用することが可能である。
【００７６】
通信部４３は、無線通信手段または有線通信手段によって、テレビ１などの他の装置と通信を行い、データのやりとりを行うものである。本実施形態では、通信部４３が外部インターフェースとして機能し、テレビ１とＨＤＭＩケーブルで接続されているものとする。
【００７７】
操作部４４は、ユーザが携帯電話機２に指示信号を入力し、操作するためのものである。本実施形態では、操作部４４は、図６に示すように、オンフックキー、オフフックキー、および、テンキーで構成されているものとする。オンフックキーは、携帯電話機２に音声通話機能を開始させるためのキーである。オフフックキーは、携帯電話機２に音声通話機能を終了させるためのキーである。テンキーは、数字、文字、記号等の入力などに使用するためのキーである。
【００７８】
図８は、携帯電話機２の操作部４４のキー配置の一例を示す図である。なお、操作部４４が、上述のキー以外に、例えば、十字キーやファンクションキー等を備えていてもよい。また、図８に示す操作部４４のキー配置はあくまで一例であって、図８に示すキー配置に限るものではなく、キー配置を任意に設計してもよい。
【００７９】
制御部４０は、記憶部４１から一時記憶部（不図示）に読み出されたプログラムを実行することにより、各種の演算を行うと共に、携帯電話機２が備える各部を統括的に制御するものである。
【００８０】
本実施形態では、制御部４０は、機能ブロックとして、表示制御部５１、出力モード切替部５２、携帯電話機制御部５３、および、キー変換情報特定部（機種情報取得手段、操作情報変換テーブル特定手段、変換テーブル送信手段）５４を備える構成である。これらの制御部４０の各機能ブロック（５１〜５４）は、ＣＰＵが、ＲＯＭ等で実現された記憶装置に記憶されているプログラムをＲＡＭ等で実現された一時記憶部に読み出して実行することで実現できる。
【００８１】
表示制御部５１は、携帯電話機制御部５３の指示に従って、画像を生成し、生成した画像を出力するものである。表示制御部５１は、通常出力モード時には、生成した画像を表示部４２に出力し、外部出力モード時には、生成した画像を通信部４３を介してテレビ１に送信する。なお、表示制御部５１は、外部出力モード時にも、画像をテレビ１に送信すると共に、表示部４２に出力してもよい。
【００８２】
出力モード切替部５２は、携帯電話機２の出力モードを切り替えるものである。例えば、出力モード切替部５２は、操作部４４から出力モードの切替指示を受信して、携帯電話機２の出力モードを切り替えてもよい。また、出力モード切替部５２は、携帯電話機２がテレビ１と通信接続されたことを示す情報を通信部４３から受信して、携帯電話機２の出力モードを通常出力モードから外部出力モードに切り替えてもよい。また、出力モード切替部５２は、携帯電話機２がテレビ１との通信接続を終了したことを示す情報を通信部４３から受信して、携帯電話機２の出力モードを外部出力モードから通常出力モードに切り替えてもよい。
【００８３】
携帯電話機制御部５３は、操作部４４から送信された携帯電話機２を動作させるためのキー情報（携帯電話機キー情報）に基づいて、携帯電話機２を制御するものである。例えば、携帯電話機制御部５３は、受信した携帯電話機キー情報が音声通話の開始を示すものであれば、所定の相手と音声通話を開始するように携帯電話機２を制御し、音声通話を開始したことを示す画像を表示制御部５１に生成するように指示する。また、携帯電話機制御部５３は、受信した携帯電話機キー情報が記憶部４１に格納されている動画の再生を示すものであれば、所定の動画を再生するように制御し、表示制御部５１に再生する動画を出力するように指示する。
【００８４】
キー変換情報特定部５４は、テレビ１から通信部４３を介して、テレビ１の機種情報を受信して、キー変換情報の特定処理を実行するものである。具体的には、キー変換情報特定部５４は、記憶部４１のキー変換情報特定テーブル記憶部６２に格納されているキー変換情報特定テーブル（第１の特定テーブル）を参照して、受信したテレビ１の機種情報に対応付けられているキー変換情報を特定し、特定したキー変換情報をキー変換情報記憶部６１から読み出す。そして、キー変換情報特定部５４は、読み出したキー変換情報を通信部４３を介してテレビ１に送信する。
【００８５】
本実施形態では、キー変換情報特定部５４は、テレビ１からテレビ１の機種情報として「ＴＶ１２３４Ａ」という情報を受信し、図９に示すキー変換情報特定テーブルを参照して、「ＴＶ１２３４Ａ」に対応するキー変換情報ＩＤ「００１」を特定し、キー変換情報記憶部６１に格納されているキー変換情報の中から、キー変換情報ＩＤが「００１」であるキー変換情報を読み出す。
【００８６】
記憶部４１は、制御部４０が実行する制御プログラムおよびＯＳプログラム、ならびに、制御部４０が、携帯電話機２が有する各種機能（例えば、後述の、初期設定処理、携帯電話機キー情報解析処理など）を実行するときに読み出す各種の固定データを記憶するものである。本実施形態では、記憶部４１には、例えば、キー変換情報記憶部６１、および、キー変換情報特定テーブル記憶部６２が含まれており、各種の固定データを記憶する。記憶部４１は、例えば、内容の書き換えが可能な不揮発性メモリである、ＥＰＲＯＭ、ＥＥＰＲＯＭ、フラッシュメモリなどで実現される。なお、内容の書き換えが不要な情報を記憶する記憶部としては、上述したとおり、記憶部４１とは別の、図示しない、読出し専用の半導体メモリであるＲＯＭなどで実現されてもよい。
【００８７】
キー変換情報記憶部６１は、１つまたは複数のキー変換情報を格納するものである。各キー変換情報には、キー変換情報を一意に特定するキー変換情報ＩＤが付与されている。キー変換情報記憶部６１に格納されているキー変換情報の一例として、図７に示すキー変換情報であってよい。
【００８８】
キー変換情報特定テーブル記憶部６２は、テレビ１の機種情報から、キー変換情報を特定する際にキー変換情報特定部５４が参照するキー変換情報特定テーブルを格納するものである。キー変換情報特定テーブル記憶部６２に格納されているキー変換情報特定テーブルとして、例えば、図９に示すキー変換情報特定テーブルであってよい。図９は、キー変換情報特定テーブルの一例を示す図である。図９に示すように、キー変換情報特定テーブルでは、テレビの機種情報とキー変換情報ＩＤとが対応付けられている。
【００８９】
〔テレビ１および携帯電話機２の処理の流れ〕
本実施形態に係るテレビ１および携帯電話機２の処理の流れについて、図１０および図１１に基づいて説明する。図１０は、表示システム３に含まれるテレビ１及び携帯電話機２の処理の流れの一例を示すフローチャートである。
【００９０】
図１０に示すように、まず、テレビ１は、通常表示モードで動作しているものとし（Ｓ１）、携帯電話機２は、通常出力モードで動作しているものとする（Ｓ１１）。
【００９１】
テレビ１が通常表示モードで動作している間、表示モード切替部２４は、外部入力表示モードへの切替指示が入力されるのを待つ（Ｓ２）。外部入力表示モードへの切替指示の入力がない場合（Ｓ２でＮＯ）、表示モード切替部２４は、表示モードの切り替えを行わず、テレビ１は通常表示モードで動作する（Ｓ１）。一方、外部入力表示モードへの切替指示がテレビ１に入力されると（Ｓ２でＹＥＳ）、表示モード切替部２４は、表示モードを外部入力表示モードに切り替える。そして、テレビ１は、外部入力表示モードで動作する。
【００９２】
また、携帯電話機２が通常出力モードで動作している間、出力モード切替部５２は、外部出力モードへの切替指示が入力されるのを待つ（Ｓ１２）。外部出力モードへの切替指示の入力がない場合（Ｓ１２でＮＯ）、出力モード切替部５２は、出力モードの切り替えを行わず、携帯電話機２は通常出力モードで動作する（Ｓ１１）。一方、外部出力モードへの切替指示が携帯電話機２に入力されると（Ｓ１２でＹＥＳ）、出力モード切替部５２は、出力モードを外部出力モードに切り替える。そして、携帯電話機２は、外部出力モードで動作する。
【００９３】
テレビ１が外部入力表示モードに移行し、携帯電話機２が外部出力モードに移行すると、テレビ１および携帯電話機２は、初期設定処理（Ｓ３、Ｓ４、Ｓ１３、Ｓ１４）を実行する。
【００９４】
具体的には、テレビ１が外部入力表示モードに移行すると、キー変換情報管理部２８は、記憶部１１の機種情報記憶部３１に格納されているテレビ１の機種情報を読み出し、通信部１３を介して、読み出したテレビ１の機種情報を携帯電話機２に送信する（Ｓ３）。
【００９５】
携帯電話機２が外部出力モードに移行後、キー変換情報特定部５４は、テレビ１から通信部４３を介して、テレビ１の機種情報を受信すると、キー変換情報の特定処理を実行する（Ｓ４）。具体的には、キー変換情報特定部５４は、記憶部４１のキー変換情報特定テーブル記憶部６２に格納されているキー変換情報特定テーブルを参照して、受信したテレビ１の機種情報に対応付けられているキー変換情報を特定し、特定したキー変換情報をキー変換情報記憶部６１から読み出す。
【００９６】
キー変換情報特定部５４は、読み出したキー変換情報を通信部４３を介してテレビ１に送信する（Ｓ１４）。
【００９７】
キー変換情報管理部２８は、テレビ１の機種情報を携帯電話機２に送信した後、携帯電話機２からキー変換情報を受信すると、受信したキー変換情報を記憶部１１のキー変換情報記憶部３２に格納する（Ｓ４）。
【００９８】
キー変換情報特定部５４がテレビ１にキー変換情報を送信した後、携帯電話機２の表示制御部５１は、携帯電話機制御部５３の指示に基づいて画像を生成し、生成した画像を通信部４３を介して、テレビ１に送信する（Ｓ１５）。
【００９９】
また、キー変換情報管理部２８がキー変換情報を格納した後、テレビ１の表示制御部２１は、表示処理を実行する（Ｓ５）。具体的には、テレビ１の表示制御部２１は、外部入力制御部２６の指示に基づいて外部入力表示画像を生成し、外部入力表示画像におけるテレビ映像表示領域には、テレビ制御部２２の指示に基づいてテレビの画像を組み込み、外部入力表示画像における携帯電話機出力画像表示領域には、通信部１３を介して受信した携帯電話機２の出力画像を組み込み、これらの画像を組み込んだ外部入力表示画像を表示部１２に表示させる。
【０１００】
次に、キー情報受信部１４は、リモートコントローラ１５からテレビキー情報が送信されるのを待つ（Ｓ６）。ここで、キー情報受信部１４が、リモートコントローラ１５からキー情報を受信すると、テレビ１は、テレビキー情報解析処理を実行する（Ｓ７）。また、携帯電話機２は、出力画像をテレビ１に送信した後、携帯電話機キー情報解析処理を実行する（Ｓ１６）。テレビ１のテレビキー情報解析処理および携帯電話機２の携帯電話機キー情報解析処理の詳細については、後述する。
【０１０１】
テレビキー情報解析処理が実行された後、もしくは、Ｓ６においてキー情報受信部１４がキー情報を受信しなかった場合（Ｓ６でＮＯ）、表示モード切替部２４は、通常表示モードへの切替指示が入力されるのを待つ（Ｓ８）。テレビ１に通常表示モードへの切替指示が入力されなければ（Ｓ８でＮＯ）、再度、テレビ１の表示制御部２１は、表示処理を実行する（Ｓ５）。一方、テレビ１に通常表示モードへの切替指示が入力されると（Ｓ８でＹＥＳ）、表示モード切替部２４は、表示モードを通常表示モードに切り替える。そして、テレビ１は、通常表示モードに移行する（Ｓ９）。テレビ１は、通常表示モードに移行した後、通常表示モードで動作する（Ｓ１）。
【０１０２】
また、携帯電話機キー情報解析処理が実行された後、出力モード切替部５２は、通常出力モードへの切替指示が入力されるのを待つ（Ｓ１７）。携帯電話機２に通常出力モードへの切替指示が入力されなければ（Ｓ１７でＮＯ）、再度、携帯電話機２の表示制御部５１は、携帯電話機制御部５３の指示に基づいて画像を生成し、生成した画像を通信部４３を介して、テレビ１に送信する（Ｓ１５）。一方、携帯電話機２に通常出力モードへの切替指示が入力されると（Ｓ１７でＹＥＳ）、出力モード切替部５２は、表示モードを通常出力モードに切り替える。そして、携帯電話機２は、通常出力モードに移行する（Ｓ１８）。携帯電話機２は、通常出力モードに移行した後、通常出力モードで動作する（Ｓ１１）。
【０１０３】
なお、Ｓ９においてテレビ１が通常表示モードに戻り、Ｓ１８において携帯電話機２が通常出力モードに戻った後、再び、テレビ１が外部入力表示モードに移行し、携帯電話機２が外部出力モードに移行した場合、テレビ１および携帯電話機２は、初期設定処理を実行しなくてもよい。つまり、この場合、テレビ１は、Ｓ３およびＳ４の処理を実行しなくてもよく、また、携帯電話機２は、Ｓ１３およびＳ１４の処理を実行しなくてもよい。
【０１０４】
〔テレビキー情報解析処理および携帯電話機キー情報解析処理の流れ〕
次に、図１０に示すＳ７のテレビキー情報解析処理、および、Ｓ１６の携帯電話機キー情報解析処理の流れについて、図１１に基づいて説明する。図１１は、テレビキー情報解析処理、および、携帯電話機キー情報解析処理の流れの一例を示すフローチャートである。
【０１０５】
まず、テレビ１が実行するテレビキー情報解析処理について説明する。
【０１０６】
キー情報受信部１４がリモートコントローラ１５からテレビキー情報を受信する（Ｓ２１）。キー情報受信部１４がテレビキー情報を受信すると、制御部１０は、テレビ１の操作モードがテレビ操作モードであるか、携帯電話機操作モードであるかを判定する（Ｓ２２）。テレビ１の操作モードがテレビ操作モードである場合、テレビ制御部２２は、キー情報受信部１４が受信したテレビキー情報に基づく処理を行う（Ｓ２３）。
【０１０７】
一方、テレビ１の操作モードが携帯電話機操作モードである場合、キー情報変換部２７は、記憶部１１のキー変換情報記憶部３２に格納されているキー変換情報を参照して、キー情報受信部１４が受信したテレビキー情報を、対応する携帯電話機キー情報に変換する（Ｓ２４）。そして、キー情報変換部２７は、変換後の携帯電話機キー情報を通信部１３を介して携帯電話機２に送信する（Ｓ２５）。
【０１０８】
次に携帯電話機２が実行する携帯電話機キー情報解析処理について説明する。
【０１０９】
携帯電話機２の携帯電話機制御部５３は、テレビ１から携帯電話機キー情報が送信されるのを待つ（Ｓ３１）。テレビ１から携帯電話機キー情報を受信すると（Ｓ３１でＹＥＳ）、携帯電話機制御部５３は、受信した携帯電話機キー情報に基づく処理を実行する（Ｓ３２）。一方、テレビ１から携帯電話機キー情報が送信されなければ（Ｓ３１でＮＯ）、携帯電話機制御部５３は、何も処理をせず、携帯電話機キー情報解析処理を終了する。
【０１１０】
上述のように、本発明に係る表示システム３では、テレビ１は、リモートコントローラ１５からテレビキー情報を受信し、受信したテレビキー情報を対応する携帯電話機キー情報に変換して、変換後の携帯電話機キー情報を携帯電話機２に送信する。次に、携帯電話機２は、受信した携帯電話機キー情報に基づいて動作し、出力画像をテレビ１に送信する。そして、テレビ１は、携帯電話機２が出力する出力画像を受信して、受信した出力画像を表示する。
【０１１１】
そのため、テレビ１を視聴するユーザは、リモートコントローラ１５を操作してテレビ１にテレビキー情報を送信することによって、送信したテレビキー情報に対応する携帯電話機キー情報に基づいて携帯電話機２を動作させて、テレビ１にその動作に基づく携帯電話機２の出力画像を表示させることができる。すなわち、ユーザは、テレビ１に携帯電話機２の出力画像を表示させている状態において、リモートコントローラ１５を操作することによって、携帯電話機２を操作し、その操作に基づく携帯電話機２の出力画像をテレビ１に表示させることができる。
【０１１２】
よって、ユーザは、テレビ１に携帯電話機２の出力画像を表示させている状態であっても、リモートコントローラ１５のみを操作して、テレビ１に表示させている画像を制御することができるという効果を奏する。つまり、ユーザがリモートコントローラ１５および携帯電話機２の両方を操作する必要がないため、テレビ１に携帯電話機２の出力画像を表示させている状態において、ユーザの操作を簡易にすることができるという効果を奏する。
【０１１３】
さらに、一般的に、リモートコントローラ１５に備えられたキー（操作ボタン）の方が、携帯電話機２のキー（操作ボタン）より大きいため、リモートコントローラ１５の方が操作しやすい。そのため、テレビ１に携帯電話機２の出力画像を表示させている状態において、携帯電話機２を操作することによって、テレビ１および携帯電話機２を制御するより、リモートコントローラ１５を操作することによって、テレビ１および携帯電話機２を制御した方が操作性が向上し、ユーザにとって利便性が高くなる。
【０１１４】
また、上述のように、本発明に係る表示システム３では、テレビ１にキーガイダンスを表示することによって、ユーザは、リモートコントローラ１５のキーが携帯電話機２のどのキーに対応しているかを知ることができる。これにより、ユーザは、リモートコントローラ１５を操作して、携帯電話機２に所望の動作を実行させることができる。
【０１１５】
その上、一般的に、携帯電話機２は、他の操作機器（リモートコントローラ１５など）と異なり、固有のキー（操作ボタン）を備えている。また、携帯電話機２のキーは、他の操作機器と同機能のキーを備えていたとしても、そのキーの位置（キー配置）は、他の操作機器と異なる場合が多い。そのため、図５に示すようなキーガイダンスを表示することによって、ユーザは、携帯電話機２が固有に備えるキーであっても、そのキーがリモートコントローラ１５等の操作機器のどのキーに対応しているかを直感的に理解することができる。
【０１１６】
また、上述のように、本発明に係る表示システム３では、携帯電話機２は、テレビ１からテレビ１の機種情報を取得し、テレビ１の機種情報に対応付けられているキー変換情報を特定し、特定したキー変換情報をテレビ１に送信する。これにより、出力画像の送信先であるテレビ１に対応するキー変換情報を特定し、そのキー変換情報を対応するテレビ１に送信することができる。
【０１１７】
すなわち、携帯電話機２が、出力画像の送信先であるテレビ１等の外部機器の機種を判別し、判別した機種に応じたキー変換情報を、当該外部機器に供給することによって、携帯電話機２の出力画像の送信先として、テレビやＰＣ、他の携帯電話機等の様々な種類の外部機器に適用することができる。
【０１１８】
〔第２の実施形態〕
上記の実施形態では、携帯電話機２のキー変換情報特定部５４がテレビ１の機種情報を用いて、記憶部４１に格納されているキー変換情報を特定したが、第２の実施形態として、携帯電話機２のキー変換情報特定部５４が、テレビ１の機種情報および自装置（携帯電話機２）の機種情報を用いて、ネットワーク上のサーバ（不図示）から、キー変換情報を取得する例を、図１２および図１３に基づいて説明する。第２の実施形態では、上記の実施形態において、以下に説明するように、記憶部４１に格納されている情報と、キー変換情報特定部５４が実行する処理とが異なるのみで、その他の構成は、上記の実施形態と同様である。
【０１１９】
本実施形態では、携帯電話機２の記憶部４１には、キー変換情報およびキー変換情報特定テーブルが格納されておらず、代わりに、携帯電話機２の機種情報（第２の機種情報）が格納されている。携帯電話機２の記憶部４１に格納されている携帯電話機２の機種情報は、例えば、図１２に示すようなデータであればよい。図１２は、携帯電話機２の機種情報の一例を示す図である。図１２に示す例では、携帯電話機２の記憶部４１には、携帯電話機２の機種情報として、携帯電話機２の機種を識別する文字列「ＨＰ９８７６Ｚ」が格納されている。
【０１２０】
また、本実施形態では、携帯電話機２は、通信部４３がネットワークを介してサーバと接続しており、携帯電話機２は、当該サーバとデータのやりとりが可能な状態である。このサーバには、図１３に示すキー変換情報特定テーブル（第２の特定テーブル）と、図７に示すキー変換情報とが格納されている。なお、サーバには、キー変換情報が１つまたは複数格納されている。
【０１２１】
本実施形態において、図１３に示すように、キー変換情報特定テーブルは、テレビ１の機種情報および携帯電話機２の機種情報と、キー変換情報ＩＤとが対応付けられている。
【０１２２】
次に、キー変換情報特定部５４が実行するキー変換情報の特定処理について説明する。まず、キー変換情報特定部５４は、テレビ１から通信部４３を介して、テレビ１の機種情報「ＴＶ１２３４Ａ」を受信すると、記憶部４１から図１２に示す携帯電話機２の機種情報「ＨＰ９８７６Ｚ」を読み出す。次に、キー変換情報特定部５４は、サーバに格納されているキー変換情報特定テーブル（図１３）を参照し、受信したテレビ１の機種情報「ＴＶ１２３４Ａ」と、読み出した携帯電話機２の機種情報「ＨＰ９８７６Ｚ」とに対応付けられているキー変換情報ＩＤ「００１」を特定する。そして、キー変換情報特定部５４は、特定したキー変換情報ＩＤが「００１」であるキー変換情報（図７）を、サーバから取得する。取得した後、キー変換情報特定部５４は、取得したキー変換情報をテレビ１に送信する。
【０１２３】
〔変形例１〕
上記の実施形態では、テレビ１と携帯電話機２とがＨＤＭＩケーブルで接続されているが、変形例１として、テレビ１と携帯電話機２とがＢｌｕｅｔｏｏｔｈ（登録商標）によって無線接続されている例を説明する。変形例１では、上記の実施形態において、テレビ１と携帯電話機２との接続方式が異なるのみで、その他の構成は、上記の実施形態と同様である。
【０１２４】
テレビ１と携帯電話機２とがＢｌｕｅｔｏｏｔｈ（登録商標）によって無線接続されている場合、携帯電話機２の表示制御部５１は、出力画像をテレビ１に送信する際に、Ｂｌｕｅｔｏｏｔｈのプロファイルの１つである、Video Distribution Profile（ＶＤＰ）を使用して送信する。また、テレビ１のキー情報変換部２７は、変換後の携帯電話機キー情報を携帯電話機２に送信する際に、Ｂｌｕｅｔｏｏｔｈのプロファイルの１つである、Human Interface Device Profile（ＨＩＤ）を使用して送信する。
【０１２５】
〔補足〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１２６】
最後に、テレビ１および携帯電話機２の各ブロック、特に制御部１０および制御部４０は、ハードウェアロジックによって構成してもよいし、次のようにＣＰＵを用いてソフトウェアによって実現してもよい。
【０１２７】
すなわち、テレビ１および携帯電話機２は、各機能を実現する制御プログラムの命令を実行するＣＰＵ、上記プログラムを格納したＲＯＭ、上記プログラムを展開するＲＡＭ、上記プログラムおよび各種データを格納するメモリ等の記憶装置（記録媒体）などを備えている。そして、本発明の目的は、上述した機能を実現するソフトウェアであるテレビ１および携帯電話機２の制御プログラムのプログラムコード（実行形式プログラム、中間コードプログラム、ソースプログラム）をコンピュータで読み取り可能に記録した記録媒体を、上記テレビ１および携帯電話機２に供給し、そのコンピュータ（またはＣＰＵやＭＰＵ）が記録媒体に記録されているプログラムコードを読み出し実行することによっても、達成可能である。
【０１２８】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１２９】
また、テレビ１および携帯電話機２を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。
【産業上の利用可能性】
【０１３０】
本発明は、端末装置と接続し、端末装置の出力画像を受信して、端末装置の出力画像を自装置の表示部に表示させる表示装置、および、表示装置と接続し、自装置の出力画像を表示装置に送信し、自装置の出力画像を表示装置に表示させる端末装置に利用することができる。具体的には、例えば、テレビやＰＣ等の表示装置、および、携帯電話機やＰＤＡ等の端末装置に利用することができる。
【符号の説明】
【０１３１】
１    テレビ（表示装置）
２    携帯電話機（端末装置）
３    表示システム
１２    表示部
１４    キー情報受信部（操作情報取得手段）
２１    表示制御部（表示制御手段）
２７    キー情報変換部（操作情報変換手段、操作情報送信手段）
５４    キー変換情報特定部（機種情報取得手段、操作情報変換テーブル特定手段、変換テーブル送信手段）
【図１】
0005570868.tif 000002
【図２】
0005570868.tif 000003
【図３】
0005570868.tif 000004
【図４】
0005570868.tif 000005
【図５】
0005570868.tif 000006
【図６】
0005570868.tif 000007
【図７】
0005570868.tif 000008
【図８】
0005570868.tif 000009
【図９】
0005570868.tif 000010
【図１０】
0005570868.tif 000011
【図１１】
0005570868.tif 000012
【図１２】
0005570868.tif 000013
【図１３】
0005570868.tif 000014